(57)【特許請求の範囲】
【請求項１】
レンズにより結像された画像を画像読取素子により読み取って画像情報として記録する撮像装置であって、
前記画像情報が表わす画像を表示する表示手段と、
前記画像情報に基づいて、人物が撮影されているか否かを判断する判断手段と、
撮影時又は画像情報の編集時に分類された画像の優先度、及び撮影時又は画像情報の編集時に画像内容ごとに分類された識別の少なくとも一方を含む前記画像情報に関する条件を入力するための入力手段と、
前記画像の撮影時の撮影条件を検出する検出手段と、
前記画像情報と独立し、かつ、前記判断手段により判断された人物が撮影されているか否かの情報、前記入力手段により入力された前記画像情報に関する条件、及び前記検出手段により検出された撮影時の撮影条件を含む特徴情報を各々の画像情報を表す画像情報名と共に前記表示手段にリストとして表示するためのリストデータ、及び前記表示手段に前記優先度及び前記識別を表示するためのデータを生成するリストデータ生成手段と、
前記リストデータ生成手段により生成されたリストデータに基づいて、前記表示手段に表示されたリストの複数種類の特徴情報のうち、２種類以上の特徴情報を選択すると共に、前記表示手段に表示された前記優先度及び前記識別から前記優先度及び前記識別の少なくとも一方を選択するための選択手段と、
前記リストデータ生成手段により生成されたリストデータの中から前記選択手段により２種類以上の特徴情報が選択された場合には、前記選択された２種類以上の特徴情報を有する画像情報のリストデータを抽出して検索リストを前記表示手段に表示し、前記表示手段に表示された前記優先度及び前記識別から前記優先度及び前記識別の少なくとも一方が前記選択手段により選択された場合には、選択された前記優先度及び前記識別の少なくとも一方で分類されたグループに属するすべての前記画像情報に基づく画像を前記表示手段に表示する表示制御手段と、
を備えた撮像装置。
【請求項２】
前記画像情報が記録された記録媒体の固有情報を取得する取得手段を更に備え、
前記リストデータ生成手段は、記録媒体の抜き取り時に前記取得手段により取得された記録媒体の固有情報を前記特徴情報として前記リストデータに加えることを特徴とする請求項１に記載の撮像装置。
【請求項３】
前記リストデータ生成手段は、記録媒体の容量がなくなった場合、電源がオンになった場合、及び電源がオフになった場合のいずれかの場合に、前記リストデータを生成することを特徴とする請求項１または請求項２に記載の撮像装置。
【請求項４】
前記入力手段により入力された前記画像情報に関する条件に応じてディレクトリを作成して、対応する前記ディレクトリに前記画像情報を保存することを特徴とする請求項１〜請求項３のいずれか１項に記載の撮像装置。
【請求項５】
前記検出手段により検出された撮影時の撮影条件には、前記画像情報の先頭タグに含まれる各種情報が含まれ、
前記画像情報のリストデータは、前記優先度、前記識別、前記各種情報、及び前記取得手段により取得された記録媒体の固有番号のうち２つ以上の特徴情報を含むことを特徴とする請求項２〜請求項４のいずれか１項に記載の撮像装置。
【発明の詳細な説明】
【０００１】
【発明の属する技術分野】
本発明は、撮像装置に係り、特に、画像をデジタル画像情報として記録及び記録した画像情報の再生を行うことのできる撮像装置に関する。
【０００２】
【従来の技術】
近年、メモリ技術の発達とＣＣＤの高画素化により撮像装置(以下、デジタルカメラと称す。)の高性能化が進んできており、高性能の撮像素子を用いて画像を高解像度で記録することが可能となってきている。また、膨大な数の画像情報を一つのメモリーカードに記録可能であるため、記録した膨大な数の画像情報の取り扱いを容易にする要求が高まってきている。
【０００３】
例えば、特開平５−２６６１５６号公報には、ユーザによる画像情報の扱いが容易となるように、特定の情報ファイルとして設けられたコントロールファイルに画像情報の関連情報を、ユーザが理解可能な言語により記述して格納する技術が提案されている。
【０００４】
また、特開平６−１４９９０５号公報には、各画像情報の相互の関わりを表すグルーピング情報を、属性情報部と画像データ部とから構成された画像ファイルの属性情報部と、画像ファイルとは別に設定されたコントロールファイルに一括して格納する技術が開示されている。
【０００５】
また、特開平８−１４７９５２号公報及び特開平９−１３５４１２号公報には、画像ファイル及び音声ファイルとは別の１つのマップファイルに、画像ファイル及び音声ファイルの付帯情報をまとめて記録する技術が開示されている。
【０００６】
【発明が解決しようとする課題】
しかしながら、画像ファイルとは別に、画像情報の属性情報を記録したファイルを作成した場合も、全てのデータをデジタルカメラの画面に表示することが出来ないので、各画像情報ごとに表示された情報を手がかりに、ユーザが画像情報を順にチェックしていく必要があり、手間がかかるという難点がある。
【０００７】
また、特開平６−１４９９０５号公報のようにグルーピング情報をコントロールファイルに記憶してグループごとに処理する場合も、予め定められたグループに限定されているため、必ずしもユーザが所望する画像情報を探すのに適したグループ分けとなっておらず、検索の効率が悪いと言う問題もある。
【０００８】
以上のことから本発明は、記録媒体に記録された画像情報の中から所望画像の画像情報を効率よく検索することが可能な撮像装置を提供することを目的とする。
【０００９】
【課題を解決するための手段】
上記目的を達成すべく、請求項１に記載の発明の撮像装置は、レンズにより結像された画像を画像読取素子により読み取って画像情報として記録する撮像装置であって、前記画像情報が表わす画像を表示する表示手段と、前記画像情報に基づいて、人物が撮影されているか否かを判断する判断手段と、撮影時又は画像情報の編集時に分類された画像の優先度、及び撮影時又は画像情報の編集時に画像内容ごとに分類された識別の少なくとも一方を含む前記画像情報に関する条件を入力するための入力手段と、前記画像の撮影時の撮影条件を検出する検出手段と、前記画像情報と独立し、かつ、前記判断手段により判断された人物が撮影されているか否かの情報、前記入力手段により入力された前記画像情報に関する条件、及び前記検出手段により検出された撮影時の撮影条件を含む特徴情報を各々の画像情報を表す画像情報名と共に前記表示手段にリストとして表示するためのリストデータ、及び前記優先度及び前記識別を表示するためのデータを生成するリストデータ生成手段と、前記リストデータ生成手段により生成されたリストデータに基づいて、前記表示手段に表示されたリストの複数種類の特徴情報のうち、２種類以上の特徴情報を選択すると共に、前記表示手段に表示された前記優先度及び前記識別から前記優先度及び前記識別の少なくとも一方を選択するための選択手段と、前記リストデータ生成手段により生成されたリストデータの中から前記選択手段により２種類以上の特徴情報が選択された場合には、前記選択された２種類以上の特徴情報を有する画像情報のリストデータを抽出して検索リストを前記表示手段に表示し、前記表示手段に表示された前記優先度及び前記識別から前記優先度及び前記識別の少なくとも一方が選択された場合には、選択された前記優先度及び前記識別の少なくとも一方で分類されたグループに属するすべての前記画像情報に基づく画像を前記表示手段に表示する表示制御手段と、を備えている。
【００１０】
本発明では、前記リストデータ生成手段が、画像情報と独立し、かつ、前記判断手段により判断された人物が撮影されているか否かの情報、前記入力手段により入力された前記画像情報に関する条件、及び前記検出手段により検出された撮影時の撮影条件を含む特徴情報を各々の画像情報を表す画像情報名と共に前記表示手段にリストとして表示するためのリストデータを生成する。このリストデータは、画像を閲覧しなくともユーザが画像ファイルの中身を認識できるような画像の特徴を表わす特徴情報を、画像情報毎にテキストなどの文字情報として記録したデータである。
【００１１】
また、本発明では、前記リスト表示された複数種類の特徴情報のうち、前記選択手段により２種類以上の特徴情報を選択し、前記表示制御手段が該選択された２種類以上の特徴情報の全てを有する画像情報のリストデータを抽出して検索リストを表示している。
【００１２】
このような構成であるため、各特徴情報がユーザが所望する画像の条件と異なる場合であっても、近似する条件を複数選択して検索することができるので、よりユーザが所望する画像の条件に近い条件となる。従って、得られる検索リストは、ユーザが所望する画像の条件に近い条件の画像ファイルが抽出されたものとなり、画像情報の検索効率が向上する。また、文字情報は画像情報よりもデータ量が少ないので、表示速度及び検索速度が速くなる。
【００１３】
また、リストデータ生成手段は、前記優先度及び前記識別を表示するためのデータを生成し、表示制御手段は、前記表示手段に表示された前記優先度及び前記識別から前記優先度及び前記識別の少なくとも一方が前記選択手段により選択された場合には、選択された前記優先度及び前記識別の少なくとも一方で分類されたグループに属するすべての前記画像情報に基づく画像を前記表示手段に表示する。この場合、選択された全てのグループに同一の画像情報が含まれている場合に、該画像情報を選択すればよいので、検索の制御ルーチンが簡略化できる。
【００１４】
また、前記特徴情報をアイコン表示するように構成することにより、ユーザによる特徴情報の選択が容易となり好ましい。なお、アイコンは、予め撮像装置側に設定しておいてもよいし、例えば、通信配線などを使用して他のコンピュータなどからダウンロードするように構成することもできる。
【００１５】
さらに、前記リストデータ生成手段は、画像の撮像時に画像情報に書き込む各種条件を前記特徴情報として加えるようにすると好ましい。例えば、画像情報の形式の１つとして、画像の撮像時に、シーン判別情報、色温度情報、ストロボ発光信号、位置情報、撮影モード情報、撮影日時情報、ファイル容量などの各種情報が画像情報の先頭部分に書き込まれる形式の画像情報がある。本発明のリストデータ生成手段は、このような各種情報を画像情報の特徴情報に加えることにより、効率よく所望画像の絞込みを行うことができる。
【００１６】
また、前記画像情報は、前記画像情報のリストデータに含まれる特徴情報に基づいて分類されて記憶されるように構成できる。このように構成することにより、より一層ユーザの所望する条件の画像の検索が効率的になる。また、特徴情報の種類は撮像装置の製造時などに予め設定しておく構成としてもよいし、ユーザにより入力された条件を前記特徴情報の１つとして加えるように構成することも可能である。
【００１７】
撮像装置の製造時などに設定された特徴情報が、ユーザが所望する画像の特徴と違っていても、本発明によれば、複数の特徴情報を組合わせた条件で画像情報を検索するため、ユーザが所望する画像の特徴に近い検索条件となる。
【００１８】
さらに、ユーザにより入力された条件を前記特徴情報の１つとして加えるように構成した場合、よりユーザが所望する画像の特徴に近い検索条件となるので検索効率が向上して好ましい。
【００１９】
このユーザが条件を入力するタイミングとしては、撮像する前にユーザが特徴情報を入力して該特徴情報に撮影した画像情報を入力した特徴情報のグループに組み込むように構成することができる。勿論、撮影終了後にユーザが特徴情報を入力して該特徴情報に撮影した画像情報を入力した特徴情報のグループに組み込む構成とすることも出来る。
【００２０】
さらに、請求項２に記載したように、前記画像情報が記録された記録媒体の固有情報を取得する取得手段を更に備え、前記リストデータ生成手段は、記録媒体の抜き取り時に前記取得手段により取得された記録媒体の固有情報を前記特徴情報として前記リストデータに加えるように構成することもできる。
【００２１】
また、請求項３に記載の発明は、請求項１または請求項２に記載の撮像装置において、前記リストデータ生成手段は、記録媒体の容量がなくなった場合、電源がオンになった場合、及び電源がオフになった場合のいずれかの場合に、前記リストデータを生成することを特徴とする。
【００２２】
前記リストデータ生成手段は、このようなタイミングで、前記リストデータを生成するため、画像ファイルの削除や特徴情報の変更があった場合でも、常に最新の情報に基いたリストデータを作成することができる。
【００２３】
さらに、請求項４に記載の発明は、前記入力手段により入力された前記画像情報に関する条件に応じてディレクトリを作成して前記画像情報を保存することを特徴としている。
【００２４】
請求項４の発明では、同じ特徴情報ごとにディレクトリを作成して纏まって画像ファイルを保存するため、全ての画像ファイルの中から同じ特徴情報を持つ画像を検索する必要がないので、素早い検索処理を行うことが可能である。
【００２５】
また、前記ディレクトリに対応する特徴情報の選択時に、前記ディレクトリに保存された画像情報を順に再生する再生手段を備えるように構成することも可能である。
【００２６】
このような構成とすることで、ユーザが所望する画像情報が見やすくなり、検索効率がより向上することとなる。なお、再生時に、表示手段全面に１つの画像を表示して、順送り表示するように構成してもよいが、複数の縮小画像を一度に表示して順送り表示するように構成することにより、さらに検索効率が向上するので好ましい。
【００２７】
このような特徴情報としては、前記入力手段により入力された前記画像情報に関する条件には、撮影時又は画像情報の編集時に分類される画像の優先度、及び撮影時又は画像情報の編集時に画像内容ごとに分類される識別が含まれ、前記検出手段により検出された撮影時の撮影条件には、前記画像情報の先頭タグに含まれる各種情報が含まれ、前記画像情報のリストデータは、前記優先度、前記識別、前記各種情報、及び前記取得手段により取得された記録媒体の固有番号のうち２つ以上の特徴情報を含むように構成するとよい。
【００２８】
なお、画像情報の先頭タグに含まれる各種情報とは、例えば、撮影日時、撮影場所、カメラタイプ、画像サイズ、撮影モード、シーン種類、ストロボの有無、人物の有無、色温度情報等である。また、撮影時又は画像情報の編集時に分類される画像の優先度とは、ユーザにより撮影対象の画像の重要性に応じて複数段階に設定する構成とすることが出来る。さらに、撮影時又は画像情報の編集時に画像内容ごとに分類される識別は、例えば、子供、風景、旅行、仕事などの画像の内容を代表する種類での分類分けである。
【００２９】
記録媒体の固有番号は、記録媒体の各々を識別するために製造時などに付与される番号であり、この番号を特徴情報として記録することで、画像情報と該画像情報が記録された記録媒体との関連付けが得られるので、画像情報の検索時の画像選択の指標となる。
【００３０】
【発明の実施の形態】
以下、図面を参照して本発明の実施の形態を詳細に説明する。本発明が適用されたデジタルカメラ１０は、図１（Ａ）及び図１（Ｂ）に示すように、本体１１が略箱型であり、正面から見て左側には、本体１１の把持を容易とするための把持部が形成されている。
【００３１】
本体１１の正面側には、図１（Ａ）に示すように、レンズ１４、撮影範囲等を目視で確認するためのファインダ１５、低照度での撮影等の場合に補助光を発するためのストロボ１６が取付けられている。
【００３２】
また、本体１１の正面から見て右側の側面には、スマートメディアなどの情報記録媒体としてのメモリーカード１８を装填可能なスロット２３が設けられており、本体１１の上面には、正面から見て左側にモードダイヤル４７、及び電源スイッチ２１が設けられ、モードダイヤル４７の中央部がシャッタボタン１２となっている。
【００３３】
モードダイヤル４７は、デジタルカメラの動作モードを選択するダイヤルであり、例えば、オート撮影モード、マニュアル撮影モード、セルフタイマー撮影モード、再生モード、パソコンに接続して画像を出力するＰＣモード及び各種機能の初期条件を設定するセットアップ項目設定モードのうちのいずれか１つを選択する。また、後述する保存制御プログラムにおける、リスト作成タイミングの選択等の各種モードの選択を行う。また、シャッタボタン１２は、半押しでＡＦロック、全押しで撮像処理されるように構成されている。
【００３４】
また、図２に示すように、本体１１の背面の下方側には、反射型ＬＣＤ又は透過型表ＬＣＤから成るカラーのディスプレイ４６が取付けられており、ディスプレイ４６の上方側には、モノクロの液晶表示パネル１３、ストロボボタン１７、十字ボタン１９、及びメニュー実行ボタン２５等の各種選択ボタンが設けられている。
【００３５】
ディスプレイ４６は、画面サイズが６４０×４８０ピクセルの液晶表示パネルより構成されており、画像表示指示がある場合に、後述するメモリ４２に保存された画像ファイルやメモリーカード１８から読み込んだ画像ファイルに基づいて画像を画面全体に表示したり、複数の縮小画像を並べて表示（以下、サムネイル表示と称す。）したり、各種機能選択画面を表示する。液晶表示パネル１３は、動作モード、画質、バッテリー量、ストロボの発光／非発光、撮影可能枚数等デジタルカメラの現在の設定を表示する。
【００３６】
十字ボタン１９は、ディスプレイ４６が各種項目選択画面のときにディスプレイ４６に表示されたボタンを選択したり、カーソルを動かすためのボタンである。また、ストロボボタン１７はストロボを強制発光するときに強制発光指示を出したり、ストロボを発光禁止するときに発光禁止指示を出すボタンであり、メニュー実行ボタン２５は、ディスプレイ４６に表示されて十字ボタン１９で選択された項目の実行指示を出すボタンである。
【００３７】
また、図３にデジタルカメラ１０の電気系の構成を示す。レンズ１４は、詳しくはステッピングモータ等の駆動源の駆動力により焦点位置を変更可能な機構（オートフォーカス（ＡＦ）機構）を備えたズームレンズ（焦点距離可変レンズ）であり、レンズ１４のＡＦ機構及びズーム機構は駆動回路２４ａによって駆動される。なお、駆動回路２４ａはストロボ１６、及び後述する撮像デバイス３０の駆動等各種部品の駆動制御も行う。また、レンズ１４に代えて、ＡＦ機構のみを備えた焦点距離固定レンズを用いてもよい。
【００３８】
本体１１内部のレンズ１４の焦点位置に相当する位置には、エリアＣＣＤから成り電子シャッタ機構が設けられた撮像デバイス３０が配置されており、被写体から反射してレンズ１４に入射された光が撮像デバイス３０の受光面に結像されるようになっている。
【００３９】
撮像デバイス３０は、駆動回路２４ａによって駆動され、駆動回路２４ａは、タイミング信号発生回路２７によって発生されたタイミング信号に同期したタイミングで撮像デバイス３０を駆動して、画像信号（受光面上にマトリクス状に配列された多数個の光電変換セルの各々における受光量を表す信号）を出力する。なお、撮像デバイス３０は本発明の画像読取素子に対応している。
【００４０】
タイミング信号発生回路２７は、マイコンにより構成された制御部２２により制御され、撮像デバイス３０やＡ／Ｄ変換部３８等を動作させるための各種のタイミング信号（クロック信号）を発生する。
【００４１】
また、撮像デバイス３０は、画像信号を、図示しない増幅器を介してアナログ信号処理部３６に出力する。アナログ信号処理部３６はＡ／Ｄ変換部３８に接続されており、撮像デバイス３０から出力された信号は、増幅器で増幅されてＡ／Ｄ変換部３８でデジタルデータに変換される。
【００４２】
Ａ／Ｄ変換部３８の出力端は、図示しない相関二重サンプリング回路（ＣＤＳ回路）、図示しない内部インタフェース（Ｉ／Ｆ）回路を順に介してデジタル信号処理部４０に接続されている。ＣＤＳ回路では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路を介してスキャン画像ファイルとしてデジタル信号処理部４０に順次出力する。
【００４３】
デジタル信号処理部４０は、入力されたデジタル信号に所定のデジタル信号処理（例えばシェーディング補正処理等）を施して、原画像ファイルとしてデータバス８８を介してメモリ４２に出力する。また、デジタル信号処理部４０は、図示しない外部機器がビデオ出力端子に接続されている場合はビデオ信号を出力する。また、デジタル信号処理部４０は、制御部２２からサムネイル表示指示が出されると、メモリ４２に記憶された複数の画像ファイルの各々に関連して記憶されている複数のサムネイル画像をディスプレイ４６に表示させる。
【００４４】
メモリ４２は、再生時に検索用に読み込んだ画像ファイルを一時的に保存したり、データバス８８を介してデジタル信号処理部４０から出力された画像ファイルを保存する。このとき、スマートメディアやフロッピィディスクなどのメモリーカード１８に書き込み指示があれば、記憶した画像ファイルを圧縮伸張部４４で所定の画像圧縮処理（例えばＪＰＥＧ処理）が行われた後、メモリーカードドライブ２０に出力され、外部インターフェース（外部Ｉ／Ｆ）４３を介してメモリカードに書き込まれる。なお、圧縮伸張部４４で圧縮せずに書き込むようにも設定できる。
【００４５】
また、外部Ｉ／Ｆ４３には、デジタルＩＯポート３１が設けられており、画像ファイルをデジタルＩＯポート３１に接続された他の機器にも出力できるように構成されている。
【００４６】
また、スロット２３に装填されたメモリカードに格納されている画像ファイルによる画像の再生（表示）が指示された場合には、メモリカードから画像ファイルが読み出される。読み出された画像ファイルが圧縮されて格納されていた場合には、被圧縮画像ファイルは圧縮伸張部４４で伸張（解凍）された後にメモリ４２に記憶される。そして、メモリ４２に記憶された画像ファイルをデジタル信号処理部４０が液晶駆動回路２４ｂに転送してディスプレイ４６に画像を表示（再生）させる。
【００４７】
制御部２２は、ＣＰＵ、ＲＯＭ及びＲＡＭから構成され、直接又はシステムバス８８を介してシャッタボタン１２、メモリーカードドライブ２０、駆動回路２４ａ、メモリ４２、圧縮伸張部４４、ディスプレイ４６、及び、メニュー実行ボタン２５が接続されている。
【００４８】
ＲＯＭには、制御部２２に接続された上述の各種構成要素を制御するプログラム、検索プログラム、及び、保存制御プログラムが記憶されている。なお、検索プログラム、及び、保存制御プログラムについては後述する。また、ＲＡＭには、バス７０を介して入力される前記各プログラムに必要な各種データが記憶される。
【００４９】
ＣＰＵは、ＲＯＭから各種プログラムを読み出して、各部品の制御を行うと共に、撮影時の記録モード時には、ＲＯＭから保存制御プログラムを読み込んで、撮影した画像を表わす画像情報を保存するディレクトリを選択して保存する。また、ＣＰＵは、再生時の画像検索モード時には、ＲＯＭから検索プログラムを読み込んで、撮像装置に保存された画像情報の中から所望の画像情報に近い条件の画像情報を抽出して表示する。
【００５０】
ここで、ＣＰＵがＲＯＭから読み出した保存制御プログラムに基づいて行う制御ルーチンについて、図４から図６のフローチャートを参照して説明する。図４は、リスト作成タイミングが撮影時に選択されている場合のリストデータ作成制御ルーチンである。なお、ここでは、メモリーカード１８としてスマートメディアを用いる場合について説明する。
【００５１】
まず、図４のステップ１００では、スマートメディアが挿着されたかを判断する。スマートメディアが挿着されたと判断されると、次のステップ１０２に移行してスマートメディアの固有情報を取得してリストファイルに格納する。なお、リストファイルは、各画像情報毎に作成されるリストデータを一纏めにしたファイルであり、スマートメディア毎に作成される。
【００５２】
次のステップ１０４では、シャッタボタン１２が半押しされたかを判断する。シャッタボタン１２が半押しされたと判断すると、次のステップ１０６に移行してリストファイル内に、画像ファイルＩ（但し、Ｉは任意の正の整数）を作成する。
【００５３】
次のステップ１０８では、優先度（詳細は後述）及び識別（詳細は後述）の少なくとも一方が設定されているかを判断する。優先度及び識別のいずれも設定されていない場合は、非分類のディレクトリに保存し、ステップ１１２に移行する。
【００５４】
優先度及び識別の少なくともいずれかが設定されている場合は、分類保存（詳細は後述）とした後、ステップ１１０に移行し、設定された優先度及び識別の少なくとも一方を画像ファイルＩのリストデータを構成するリスト条件の１つとしてリストファイルに記録し、ステップ１１２に移行する。なお、リスト条件は、本発明の特徴情報に相当する。
【００５５】
した後、ステップ１１２に移行して、例えば、スナップモード、スポーツモード、マクロモード、夜景モード、及び夕焼けモード等の撮影モード情報を画像ファイルＩのリストデータを構成するリスト条件の１つとしてリストファイルに記録する。
【００５６】
次のステップ１１４では、自動露出（ＡＥ）ロックされたか、及び光源情報（ＡＷＢ）がロックされたかを判断し、ロックされた場合は、ステップ１１６に移行して、自動露出値（ＡＥ値）及び光源情報（ＡＷＢ）に基いてシーン判別処理を行い、得られる色温度情報、及びストロボ発光情報等の情報を画像ファイルＩのリストデータを構成するリスト条件の１つとしてリストファイルに記録する。
【００５７】
次のステップ１１８では、画像撮影が終了したかを判断し、画像撮影が終了した場合は、ステップ１２０に移行して肌色判別処理を行い、撮影した画像を表わす画像情報に、肌色が含まれているかを判断する。
【００５８】
肌色が含まれていないと判断されると、ステップ１２４に移行し、肌色が含まれていると判断されるとステップ１２２に移行する。ステップ１２２では、取得した肌色情報から人物有りと判断して、人物有り情報を画像ファイルＩのリストデータを構成するリスト条件の１つとしてリストファイルに記録する。
【００５９】
次のステップ１２４では、デジタルカメラにＧＰＳ(Global Positioning System)が搭載され、ＧＰＳ(Global Positioning System)情報が有るかを判断する。
【００６０】
ＧＰＳ情報が無い場合は、ステップ１２８に移行し、ＧＰＳ情報が有る場合は、ステップ１２６に移行して、ＧＰＳ情報を、国情報、又は、都道府県情報等の具体的な場所情報に変換して画像ファイルＩのリストデータを構成するリスト条件の１つとしてリストファイルに記録した後、ステップ１２８に移行する。
【００６１】
次のステップ１２８では、上記のステップで得られた各種情報（撮影モード、シーン判別情報、色温度情報、ストロボ発光情報、肌色情報）に加えて、撮影日付情報、撮影時間情報、画像の容量等の各種情報を画像ファイルのタグに記録して本ルーチンを終了する。
【００６２】
また、図５は、リスト作成タイミングが電源オフ時に選択されている場合のリストデータ作成制御ルーチンである。なお、ここでは、メモリーカード１８としてスマートメディアを用いる場合について説明する。
【００６３】
まず、ステップ２００では、電源ＯＦＦ指示が有るかを判断する。ＯＦＦ指示が有る場合は、ステップ２０２に移行して、スマートメディアに記録された画像ファイル数ｎ（但し、ｎは正の整数）を確認し、ｎ個分のリストデータを格納するためのリストファイルを作成する。なお、既にリストファイルが作成されている場合は、上書きを行う旨を例えば、ディスプレイなどに表示してユーザに知らせるようにし、上書き許可されたらリストファイルを作成する。
【００６４】
次のステップ２０４では、画像ファイル番号Ｉ（但し、Ｉは正の整数）をリセットし、ステップ２０６において、画像ファイル番号Ｉの先頭に作成されたタグ情報を取得して画像ファイル番号Ｉのリストデータを構成するリスト条件としてリストファイル内に作成したＩ番目の領域に記録する。なお、ここでのタグ情報は、シーン判別情報、色温度情報、ストロボ発光信号、撮影モード情報、撮影日時情報（撮影日付および撮影時間）を含んでいる。
【００６５】
次のステップ２０８では、優先度及び識別の少なくとも一方が設定されているかを判断し、設定されていない場合はステップ２１２に移行し、設定されている場合は、ステップ２１０に移行する。
【００６６】
ステップ２１０は、設定された優先度情報及び識別情報の少なくとも一方の情報を取得して、画像ファイル番号Ｉの先頭に作成されたタグ情報を取得して画像ファイル番号Ｉのリストデータを構成するリスト条件としてリストファイル内に作成したＩ番目の領域に記録する。
【００６７】
次のステップ２１０では、肌色判別処理を行い、画像ファイル番号Ｉの画像情報に肌色が含まれているかを判断する。肌色が含まれていないと判断されると、ステップ２１４に移行し、肌色が含まれていると判断されるとステップ２１２に移行する。ステップ２１２では、取得した肌色情報から人物有りと判断して、人物有り情報を画像ファイル番号Ｉのリストデータを構成するリスト条件の１つとしてリストファイル内に作成したＩ番目の領域に記録し、ステップ２１４に移行する。
【００６８】
ステップ２１４では、画像ファイル番号Ｉの先頭に作成されたタグ情報の中にＧＰＳ情報が含まれているかを判断する。ＧＰＳ情報が含まれていない場合は、ステップ２１８に移行し、含まれている場合は、ステップ２１６に移行してＧＰＳ情報を、国情報、又は、都道府県情報等の具体的な場所情報に変換して画像ファイルＩのリストデータを構成するリスト条件の１つとしてリストファイルに記録した後、ステップ２１８に移行する。
【００６９】
ステップ２１８では、スマートメディアの固有情報を取得してリストファイルに記録し、ステップ２２０に移行する。
【００７０】
ステップ２２０では、Ｉ＝ｎ−１であるかを判断する。すなわち、スマートメディアに記録された全ての画像ファイル数について、リストデータを作成したかを判断する。
【００７１】
Ｉ＝ｎ−１でない場合は、ステップ２２４に移行してＩをインクリメントして、ステップ２０４に戻り、上述した処理を繰返す。また、ステップ２２０において、Ｉ＝ｎ−１であると判断されると、ステップ２２２に移行してスマートメディアの抜き取り許可を出し、本ルーチンを終了する。
【００７２】
このようにして得られたリストファイルは、例えば、下記表１のように、一覧表にしてディスプレイに表示するように構成できる。
【００７３】
【表１】
0004054167.tif 000002
【００７４】
また、リストデータの作成タイミングは、上記で説明した撮影時、電源オフ時の他に、スマートメディアなどの記録媒体の容量が無くなったときに作成するように構成できる。リストファイルはテキストデータなどの文字情報であるので容量が少なく、記録媒体の空いた領域に格納できるが、予めリストファイルを確保しておくとよい。
【００７５】
また、本実施の形態では、識別及び優先度の少なくともいずれかに分類されて撮影された画像ファイルは、識別及び優先度の少なくともいずれかのディレクトリに保存される。また、分類されずに撮影された画像ファイルは、非分類のディレクトリに保存される。ここで、図６に、画像ファイルの保存処理ルーチンを示す。
【００７６】
図６のステップ３００では、撮影モードに設定されているかを判断し、撮影モードに設定されている場合は、ステップ３０２に移行して識別の設定が有るかを判断する。識別の設定が有る場合はステップ３０４に移行して優先度の設定があるかを判断する。
【００７７】
ステップ３０４で優先度設定有りと判断されると、ステップ３０６に移行し、選択された識別ディレクトリ内の優先度のディレクトリのうち指示された優先度のディレクトリに画像ファイルを保存し、本ルーチンを終了する。例えば、識別が「子供」で、優先度が「２」の「Ｄｓｃｆ０１１．ｊｐｇ」の場合、図７に示すように、子供のディレクトリ内に作成された優先度２のディレクトリ内に保存されることとなる。
【００７８】
また、ステップ３０４で優先度設定無しと判断されると、ステップ３０８に移行し、選択された識別ディレクトリ内の優先度無のディレクトリに画像ファイルを保存し、本ルーチンを終了する。例えば、識別が「風景」の「Ｄｓｃｆ０２３．ｊｐｇ」の場合、図７に示すように、風景のディレクトリ内に作成された優先度無のディレクトリ内に保存されることとなる。
【００７９】
また、ステップ３０２で、識別の設定無しと判断されると、ステップ３１０に移行し、優先度の設定があるかを判断する。優先度の設定があると判断されると、ステップ３１２に移行して、優先度で分類したディレクトリに画像ファイルを保存し、本ルーチンを終了する。例えば、優先度が「１」の「Ｄｓｃｆ０２１．ｊｐｇ」の場合、図７に示すように、優先度１のディレクトリ内に保存されることとなる。
【００８０】
ステップ３１０で、優先度の設定無しと判断されると、ステップ３１４に移行して、非分類のディレクトリに画像ファイルを保存し、本ルーチンを終了する。例えば、優先度も識別も設定されていない「Ｄｓｃｆ００７．ｊｐｇ」の場合、図７に示すように、非分類のディレクトリ内に保存されることとなる。
【００８１】
なお、ここでは、リスト条件の中から識別及び優先度を選択して互いに関連づけてディレクトリを作成し、当て嵌まる画像データを保存する構成について説明したが、本発明は、この構成に限らず、各リスト条件毎に当て嵌まる画像データのリストデータをまとめて保存するように構成することもできる。この場合、選択されたリスト条件を比較して重複する画像ファイル名がある場合にこの画像ファイルを抽出して検索用リストを作成する。
【００８２】
本実施の形態では、リストファイルの一覧を表示するだけではなく、保存した画像を検索する際に、識別毎及び優先度の少なくとも一方で分類されたグループ毎に画像を再生することができ、効率的な検索が実現できる。
【００８３】
この場合の制御部２２の検索プログラムに基く画像ファイルの検索制御ルーチンを図８に示す。まず、ステップ４００では、再生モードが選択されているかを判断する。再生モードが選択されていると判断されると、ステップ４０２に移行して、識別が選択されているかを判断する。
【００８４】
ステップ４０２で識別が選択されていると判断されると、ステップ４０４に移行して、優先度が選択されているかを判断する。優先度が選択されている場合は、選択された識別のディレクトリに作成された優先度のディレクトリを選択し、このディレクトリ内に属するすべての画像ファイルが表わす画像を順に再生する。例えば、識別が「仕事」で、優先度「１」が選択されている場合、図７の「仕事」のディレクトリ内の「優先度１」のディレクトリに保存されたすべての画像ファイルが表わす画像をディスプレイ４６に順に再生する。
【００８５】
また、ステップ４０４で優先度が選択されていない場合は、ステップ４１０に移行して、選択された識別のディレクトリを選択し、ステップ４０８で選択された識別のディレクトリに保存された全ての画像ファイルが表わす画像を順に再生する。
【００８６】
例えば、識別が「子供」を選択されている場合、図７の「子供」のディレクトリ内の「優先度１」のディレクトリに保存されたすべての画像ファイルが表わす画像をディスプレイ４６に順に再生して、本ルーチンを終了する。
【００８７】
一方、ステップ４０２で、識別選択無しと判断されると、ステップ４１２に移行して優先度が選択されているかを判断する。優先度が選択されていると判断されると、ステップ４１４に移行して、選択された優先度のディレクトリに保存されている全てのファイルを選択して順に読み込む。例えば、図７のディレクトリ構成において、優先度１が選択されている場合は、「風景」、「子供」「仕事」…の各識別のディレクトリ内に作成された「優先度１」のディレクトリに保存された全ての画像ファイルと、識別分類されずに直接作成された「優先度１」のディレクトリに保存された全ての画像ファイルとを読み込んで、各画像ファイルが表わす画像を順に再生する。
【００８８】
ステップ４１２で優先度が選択されていないと判断されると、ステップ４１６に移行して全画像ファイルを読み込んで、ステップ４１８で各画像ファイルが表わす画像を順に再生して、本ルーチンを終了する。
【００８９】
なお、カメラに自動再生機能を設けることで、画像ファイルが表わす画像をディスプレイ４６に順に再生する際に、予め定めた時間毎に再生する画像を自動的に変えることが出来る。この場合、再生時間を変更可能に構成するとよい。
【００９０】
このように、本実施の形態では、識別と優先度という画像ファイルと一対一で対応する２つの特徴情報を選択して、該選択された特徴情報毎にディレクトリを作成して画像情報を保存しているため、再生時の画像検索処理を効率的に行うことが出来、検索の処理速度が向上したものとなる。
【００９１】
また、検索時の画像表示の方法は、特に説明しないが、例えば、画像ファイルの先頭タグに保存されているサムネイル画像情報に基いてサムネイル画像を表示してもよいし、サムネイル画像情報とは別に縮小画像情報を作成してこれを表示するようにしてもよい。また、１画面に１画像ずつ表示するようにしてもよいが、１画面に複数画像ずつ表示するようにしてもよい。
【００９２】
また、再生時の識別と優先度の指定方法としては、例えば、図９（Ａ）に示すように、識別を表わすアイコンをディスプレイ４６上に表示し、該アイコンを選択することにより識別を選択するように構成することができる。このアイコンは、カメラ側に予め設定したものの他にインターネットなどを利用して他の機器からダウンロードして取得するように構成できる。
【００９３】
さらに、各識別を表わすアイコンに、例えば、図９（Ｂ）に示すように、優先度を表示して分類するように構成出来る。この優先度の分類は、例えば、優先度設定モードを設け、モードダイヤル４６で優先度設定モードを選択した後、十字ボタン１９で優先度を選択する等のようにして選択する構成とすることができる。
【００９４】
また、アイコンの選択は、カーソル移動により反転させた状態で実行ボタンを押すことにより行うように構成してもよいし、ディスプレイ４６にタッチパネル機能を設け、ユーザによるアイコンの押圧によって識別を選択するように構成することもできる。
【００９５】
なお、各識別毎に再生許可を出したり、再生禁止とするように構成することも可能であり、このような構成とすることにより、他人に見られたくない画像を保護することができる。
【００９６】
また、上記の実施の形態では、識別と優先度との２つの特徴情報を用いて画像を選択して表示する構成について説明したが、本実施の形態の撮像装置は、２つに限らず、複数の特徴情報を用いて画像を検索することができる。
【００９７】
この場合の制御部２２による検索プログラムに基づく画像ファイル名の検索制御ルーチンを図１０に示す。図１０のステップ５００では、検索モードであるかを判断する。検索モードであると判断されると、ステップ５０２に移行して複数のリスト条件が選択されたかを判断する。リスト条件は、例えば、上述したリストファイルに格納されたリストデータを構成する複数の条件（表１参照）の中から選択することができる。
【００９８】
複数のリスト条件が選択されたと判断されると、ステップ５０４に移行して、リストファイルから複数のリスト条件の全てに当て嵌まる画像ファイルを抽出して検索用ファイルを作成し、ディスプレイ４６に表示する。
【００９９】
例えば、ストロボ使用の有無が「有」で、撮影日付が「２０００年５月２０日」、撮影場所が「神奈川県」及び撮影モードが「スポーツモード」という４つのリスト条件が選択された場合、この４つのリスト条件に当て嵌まる画像ファイルをリストファイルの中から抽出して検索用リストを作成し、表２に示すように、テキスト形式などの文書ファイルの一覧としてディスプレイ４６に表示する。
【０１００】
【表２】
0004054167.tif 000003
【０１０１】
各画像ファイル名のテキストは画像ファイルと関連付けられて記憶（リンク）されており、画像ファイル名が選択されると画像ファイルが読み込まれて画像ファイルが表わす画像がディスプレイ４６に表示されるように構成されている。
【０１０２】
次のステップ５０６では、特定の画像ファイル名が選択されたかを判断する。選択されていない場合は、ステップ５１０に移行して検索用リストを作成し直す指示が出されたかを判断する。
【０１０３】
この判断は、例えば、ステップ５０６においてキャンセルボタンが２回押されると、検索用リストを作成し直す指示有り等のように設定するとよい。勿論、作成し直しボタンやアイコンなどを設ける構成としたり、その他の構成を選択することもできる。
【０１０４】
ステップ５１０で検索用リストを作成し直す指示が出されたと判断されると、ステップ５０２に戻り上述した処理を繰り返す。また、ステップ５１０で検索用リストを作成し直す指示が出されないと判断されると、本ルーチンを終了する。
【０１０５】
また、ステップ５０６で特定の画像ファイル名が選択されたと判断されると、ステップ５０８に移行して選択された画像ファイルが表わす画像をディスプレイ４６に再生して本ルーチンを終了する。
【０１０６】
このように、複数のリスト条件を選択することにより個々のリスト条件がユーザが所望する条件と一致していなくとも、複数組合わせた条件がユーザが所望する条件に近似することとなるため、検索用リストにはユーザが所望する条件に近い画像ファイルが抽出されることとなる。
【０１０７】
【発明の効果】
以上説明したように本発明によれば、記録媒体に記録された画像情報の中から所望画像の画像情報を効率よく検索することが可能な撮像装置が得られる、という効果がある。
【図面の簡単な説明】
【図１】図１（Ａ）は本発明の第１の実施の形態のデジタルカメラの正面側の外観を示す斜視図であり、図１（Ｂ）は本発明の第１の実施の形態のデジタルカメラの電源オフ時のレンズが格納された状態での外観を示す正面図である。
【図２】図１に示したデジタルカメラの裏面側の外観を示す斜視図である。
【図３】第１の実施の形態のデジタルカメラの電気系の構成を示すブロック図である。
【図４】リスト作成タイミングが撮影時に選択されている場合の図３に示したデジタルカメラの制御部によるリストデータ作成制御ルーチンである。
【図５】リスト作成タイミングが電源オフ時に選択されている場合の図３に示したデジタルカメラの制御部によるリストデータ作成制御ルーチンである。
【図６】図３に示したデジタルカメラの制御部による画像ファイルの保存処理ルーチンである。
【図７】ディレクトリの１構成例を示す説明図である。
【図８】図３に示したデジタルカメラの制御部による検索プログラムに基く画像ファイルの検索制御ルーチンである。
【図９】図９（Ａ）は、識別アイコンの一例及びディスプレイへの表示状態の一例を示す説明図であり、図９（Ｂ）は、識別アイコンに優先度を組合わせた場合の表示例を示す説明図である。
【図１０】図３に示したデジタルカメラの制御部による検索プログラムに基づく画像ファイル名の検索制御ルーチンである。
【符号の説明】
１０    デジタルカメラ
１１    本体
１２    シャッタボタン
１３    液晶表示パネル
１４    レンズ
１５    ファインダ
１６    ストロボ
１７    ストロボボタン
１８    メモリーカード
１９    十字ボタン
２０    メモリーカードドライブ
２２    制御部
２３    スロット
２４ａ  駆動回路
２４ｂ  液晶駆動回路
２５    メニュー実行ボタン
２７    タイミング信号発生回路
３０    撮像デバイス
３１    ＩＯポート
３６    アナログ信号処理部
３８    Ａ／Ｄ変換部
４０    デジタル信号処理部
４２    メモリ
４３    外部インターフェイス（外部Ｉ／Ｆ）
４４    圧縮伸張部
４６    ディスプレイ
４７    モードダイヤル
８８    バス
【図１】
0004054167.tif 000004
【図２】
0004054167.tif 000005
【図３】
0004054167.tif 000006
【図４】
0004054167.tif 000007
【図５】
0004054167.tif 000008
【図６】
0004054167.tif 000009
【図７】
0004054167.tif 000010
【図８】
0004054167.tif 000011
【図９】
0004054167.tif 000012
【図１０】
0004054167.tif 000013